(57)【要約】【課題】  コーデック変換やミキシングの手段を備えていない固定端末でも、複数のグループ通話をモニタリングすることができ、利便性を向上させることができるグループ通話制御サーバを提供する。【解決手段】  モニタリング手段（ＭＦ１０２）が、固定端末６００からのグループ通話のモニタリングの要求があると、固定端末でのコーデックの情報を付してグループ通話手段（ＰＴＣＦ１０３）にグループ通話からの音声データの転送を要求し、ＰＴＣＦが、当該要求中の固定端末のコーデックの情報をコーデック変換手段（ＴＣＦ１０１）に出力すると共に、グループ通話中の音声データをＴＣＦに転送し、ＴＣＦが転送された音声データを固定端末のコーデックにコーデック変換してＰＴＣＦに転送し、ＰＴＣＦが、コーデック変換された音声データをＭＦに転送し、ＭＦが音声データを合成して固定端末に出力するグループ通話制御サーバとしている。【選択図】        図３
2010068087.tif 000002
【特許請求の範囲】
【請求項１】
ネットワーク中のグループ通話を制御すると共に、固定端末からのグループ通話の音声データのモニタリングを実現するグループ通話制御サーバであって、
グループ通話における音声データの転送を行うグループ通話手段と、音声データのコーデック変換を行うコーデック変換手段と、前記グループ通話手段から転送された音声データを固定端末に出力するモニタリング手段とを備え、
前記モニタリング手段が、固定端末から１又は複数のグループ通話のモニタリングの要求があると、前記固定端末において用いられるコーデックの情報を付して前記グループ通話手段に前記各グループ通話からの音声データの転送を要求し、
前記グループ通話手段が、前記モニタリング手段からの要求に含まれる前記固定端末のコーデックの情報を前記コーデック変換手段に出力し、前記各グループ通話における音声データを受信すると、前記コーデック変換手段に転送し、
前記コーデック変換手段が、前記グループ通話手段から転送された音声データを前記グループ通話手段から出力された固定端末のコーデックの情報に基づいてコーデック変換して前記グループ通話手段に転送し、
前記グループ通話手段が、前記コーデック変換された音声データを前記モニタリング手段に転送し、
前記モニタリング手段が、前記グループ通話手段から複数のグループ通話の音声データが転送された場合には、前記音声データを合成して前記固定端末に出力することを特徴とするグループ通話制御サーバ。
【発明の詳細な説明】
【技術分野】
【０００１】
本発明は、無線携帯端末を用いたグループ通話を実現するグループ通話制御サーバに係り、特にグループ通話を行っている端末とは別のコーデックを使用している固定端末から、容易にグループ通話のモニタリングを行うことができるグループ通話サーバに関する。
【背景技術】
【０００２】
従来、ＩＰ網上において、複数の無線携帯端末間で半二重多対多の同報通信によるグループ通話を行う方式として、ＰｏＣ（Push-to-Talk over Cellular）を用いたものがある。
ＰｏＣでは、端末からボタンを押下して送話すると同時に複数の端末に送信され、複数の端末が音声を受信するようになっている。ボタンを押下して送話する方法をプレストークという。
また、ＩＰ電話における通話プロトコルとしてはＳＩＰ（Session Initiation Protocol）が用いられている。
【０００３】
ＰｏＣを用いてグループ通話を行うシステムでは、グループ通話の制御サーバが、端末からの要求に応じてグループ通話を開始し、通話中、端末から送信の要求があった場合に、許可可能か否かを判断して当該端末に送信権を許可したり、端末から送信権の解放要求があった場合に送信権を解放するといった送信権の制御を行うようになっている。
【０００４】
また、統制局等の固定端末において、任意のグループ通話のセッションから音声通話を受信するモニタリングを行うことがある。
固定端末でグループ通話のモニタリングを行うシステムについて図４を用いて説明する。図４は、グループ通話システムにおいて、固定端末でグループ通話のモニタリングを行う場合の一例を示す模式説明図である。
図４に示すように、ここでは、利用者が携帯する複数の移動局（Mobile Station；ＭＳ）１と、各移動局１を収容する複数の基地局（Base Station；ＢＳ）２と、モニタリングを行う固定端末３とを備えたグループ通話システムを示している。
【０００５】
そして、グループ通話の制御を行うグループ通話制御サーバの処理手段として、ＰＮＰ（Private Network Client Proxy）４と、ＰＴＰＦ（Press-Talk Server Participating Function）５と、ＰＴＣＦ（Press-Talk Server Controlling Function）６とを備えている。
尚、ＰＮＰ４と、ＰＴＰＦ５は、アクセスゲートウェイ（Access Gate Way;ＡＧＷ）で実現される処理手段である。
【０００６】
ＰＮＰ４は、位置登録された移動局１に対応して作成されるプロキシモジュールであり、ＳＩＰによる位置登録、個別通話、グループ通話のためのセッション制御を開始する。また、メディアフローの制御（帯域割り当て、フィルタリング、ＱｏＳマーキング）を行う。
ＰＴＰＦ５は、プレストークの制御を行うプレストークサーバであり、移動局１毎の設定情報を記憶しており、設定情報（着信優先度、応答モードが自動か手動か等）に基づいて、プレストーク通信の接続制御を行う。
【０００７】
また、ＰＴＣＦ６は、プレストークによるグループ通話を制御するものであり、グループメンバの呼び出し、送信権の管理、ＰＴ（Press Talk）音声パケットの複製と転送を行う。
【０００８】
そして、図４に示すように複数の移動局１間でグループ通話を行っている場合に、固定端末３からモニタリングを行う場合、固定端末３からＰＴＣＦ６に対して、ＩＮＶＩＴＥメッセージを送信して通話セッションに参加する。これにより、ＰＴＣＦ６は、ＰＴＰＦ５，ＰＮＰ４を介して固定端末３にも音声データを転送することが可能となる。
【０００９】
［先行技術文献］
尚、通話中の音声をモニタすることに関する先行技術としては、特開２００５−３４８１６３「ＩＰ網における音声モニタ方法及び装置」（出願人：日本電信電話株式会社、発明者：村山政義）がある（特許文献１）。
この先行技術は、ＰＳＴＮ網とＩＰ網をつなぐ音声ゲートウェイ装置において、通話中の音声を通話状態に影響を与えることなくモニタするために、音声ゲートウェイ装置の音声劣化ポイントであるＣＯＤＥＣ処理部の前後に音声モニタ抽出ポイントを設け、該モニタポイントから通話中の音声をＩＰパケットにコピーして音声モニタ装置に送る機能部を備えたものである。
【００１０】
【特許文献１】特開２００５−３４８１６３号公報
【発明の開示】
【発明が解決しようとする課題】
【００１１】
しかしながら、従来のグループ通話システムにおけるモニタリングでは、グループ通話中の移動局が使用しているコーデックと固定端末が使用するコーデックと異なる場合には、固定端末においてコーデック変換を行わなければならず、また、複数のグループ通話のモニタリングを行う場合には、各グループ通話からの音声データを受信して、固定端末においてミキシングを行わなければならず、コーデック変換やミキシングの手段を設けた専用端末でなければグループ通話のモニタリングができず、不便であるという問題点があった。
【００１２】
本発明は上記実状に鑑みて為されたもので、コーデック変換やミキシングの手段を備えた専用端末以外の固定端末でも、複数のグループ通話をモニタリングすることができ、利便性を向上させることができるグループ通話制御サーバを提供することを目的とする。
【課題を解決するための手段】
【００１３】
上記従来例の問題点を解決するための本発明は、ネットワーク中のグループ通話を制御すると共に、固定端末からのグループ通話の音声データのモニタリングを実現するグループ通話制御サーバであって、グループ通話における音声データの転送を行うグループ通話手段と、音声データのコーデック変換を行うコーデック変換手段と、グループ通話手段から転送された音声データを固定端末に出力するモニタリング手段とを備え、モニタリング手段が、固定端末から１又は複数のグループ通話のモニタリングの要求があると、固定端末において用いられるコーデックの情報を付してグループ通話手段に各グループ通話からの音声データの転送を要求し、グループ通話手段が、モニタリング手段からの要求に含まれる固定端末のコーデックの情報をコーデック変換手段に出力し、各グループ通話における音声データを受信すると、コーデック変換手段に転送し、コーデック変換手段が、グループ通話手段から転送された音声データを前記グループ通話手段から出力された固定端末のコーデックの情報に基づいてコーデック変換してグループ通話手段に転送し、グループ通話手段が、コーデック変換された音声データを前記モニタリング手段に転送し、モニタリング手段が、グループ通話手段から複数のグループ通話の音声データが転送された場合には、音声データを合成して固定端末に出力することを特徴としている。
【発明の効果】
【００１４】
本発明によれば、ネットワーク中のグループ通話を制御すると共に、固定端末からのグループ通話の音声データのモニタリングを実現するグループ通話制御サーバであって、グループ通話における音声データの転送を行うグループ通話手段と、音声データのコーデック変換を行うコーデック変換手段と、グループ通話手段から転送された音声データを固定端末に出力するモニタリング手段とを備え、モニタリング手段が、固定端末から１又は複数のグループ通話のモニタリングの要求があると、固定端末において用いられるコーデックの情報を付してグループ通話手段に各グループ通話からの音声データの転送を要求し、グループ通話手段が、モニタリング手段からの要求に含まれる固定端末のコーデックの情報をコーデック変換手段に出力し、各グループ通話における音声データを受信すると、コーデック変換手段に転送し、コーデック変換手段が、グループ通話手段から転送された音声データを前記グループ通話手段から出力された固定端末のコーデックの情報に基づいてコーデック変換してグループ通話手段に転送し、グループ通話手段が、コーデック変換された音声データを前記モニタリング手段に転送し、モニタリング手段が、グループ通話手段から複数のグループ通話の音声データが転送された場合には、音声データを合成して固定端末に出力するグループ通話制御サーバとしているので、固定端末にコーデック変換の手段や音声合成の手段を備えていなくても、複数のグループ通話のモニタリングを容易に行うことができ、利便性を向上させることができる効果がある。
【発明を実施するための最良の形態】
【００１５】
［発明の概要］
本発明の実施の形態について図面を参照しながら説明する。
本発明の実施の形態に係るグループ通話制御サーバは、音声データのコーデック変換を行うＴＣＦ（Transcoding Function）と、複数のグループ通話の音声データを受信してミキシングするＭＦ（Monitoring Function）とを備え、ＡＧＷが、固定端末からモニタ要求を受けると、固定端末におけるコーデック情報を付してグループ通話への参加要求をＭＦに送信し、ＭＦがＰＴＣＦに参加要求を転送し、ＰＴＣＦがＭＦからの要求に含まれる固定端末のコーデック情報を付したコーデック変換指示をＴＣＦに送信すると共に、グループ通話中の音声データをＴＣＦに転送し、ＴＣＦはＰＴＣＦから音声データを受信すると、固定端末用のコーデック変換を行ってＰＴＣＦに転送し、ＰＴＣＦは、ＭＦにコーデック変換された音声データを送信するものであり、固定端末はＭＦを介して自己用にコーデック変換されたグループ通話の音声データを受信でき、更に、ＭＦは、複数のグループ通話の音声データを受信した場合には、それらをミキシングして固定端末に出力することにより、固定端末では複数のグループ通話のモニタリングを同時に行うことができ、固定端末にコーデック変換やミキシングの手段を設ける必要がなくなり、利便性を向上させることができるものである。
【００１６】
［実施の形態のシステム構成：図１］
本発明の実施の形態に係るグループ通話制御サーバを含む通信システムの構成について図１を用いて説明する。図１は、本発明の実施の形態に係るグループ通話制御サーバを備えたグループ通話システム（本システム）の構成ブロック図である。
図１に示すように、本システムは、移動局（ＭＳ；Mobile Station）４０１，５０１，５１１と、基地局（ＢＳ；Base Station）４００，５００と、グループ通話制御サーバ１０と、固定端末６００とを備え、ＢＳ４００，５００とグループ通話制御サーバ１０とは、Ｅｔｈｅｒｎｅｔ（登録商標）等のＷＡＮ（Wide Area Network）とルータ及びレイヤ２（Ｌ２）スイッチを介して接続されている。
固定端末６００は、グループ通話制御サーバ１０のＡＧＷ３００にＩＳＤＮ回線やＩＰ回線で接続されている。
【００１７】
基地局４００の配下にある移動局４０１は、音声コーデックとしてコーデックＣ１を使用しており、基地局５００の配下にある移動局５０１，５１１はコーデックＣ２を使用している。
また、固定端末６００は、音声コーデックとしてコーデックＣ３を使用している。
各コーデック情報は、予めＡＧＷ３００のＰＮＰに設定されている。
【００１８】
［グループ通話制御サーバ１０］
ここで、本システムの特徴部分であるグループ通話制御サーバ（本サーバ）１０について具体的に説明する。
グループ通話制御サーバ１０は、本システムにおける呼制御や回線接続制御及びグループ通話制御を行うものであり、本システムの特徴として、固定端末６００におけるグループ通話のモニタリングをサポートするものである。
【００１９】
そして、グループ通話制御サーバ１０は、処理手段として、ＴＣＦ（Transcoding Function）１０１、ＭＦ（Monitoring Function）１０２、ＰＴＣＦ（Press-Talk Server Controlling Function）１０３、ｐｒＣＳＣＦ（Private Call Session Control Function）２００を備え、更にアクセスゲートウェイ３００を備えている。
尚、ＴＣＦ１０１は請求項に記載した「コーデック変換手段」に相当し、ＰＴＣＦ１０３は「グループ通話手段」に相当し、ＭＦ１０２は「モニタリング手段」に相当している。
【００２０】
グループ通話制御サーバ１０は、コンピュータで構成され、図示は省略するが、ハードウェアの主要な構成手段として、ＣＰＵ等から成る制御部と、ハードディスク等から成る記憶部と、制御部のワークメモリとして機能する主メモリと、データのやりとりを行うインタフェース部とを備えている。
そして、制御部が、記憶部に記憶されているプログラムを主メモリに展開して起動し、プログラムに従って処理を行うことによって、上記各処理手段が実現されてそれぞれの機能が実行されるものである。
【００２１】
［各処理手段について］
ＴＣＦ１０１は、グループ通話内の音声コーデック変換を行うものであり、ＰＴＣＦ１０３からの要求に基づいてコーデック変換を行う。特に、本システムにおいては、グループ通話開始後、ＰＴＣＦ１０３からｒｅＩＮＶＩＴＥリクエストにより、モニタリング用の固定端末６００のコーデックの情報を受信すると、グループ通話のコーデック変換に加えて、当該固定端末６００用のコーデック変換も行う。
【００２２】
図１の例では、移動局４０１，５０１，５１１がグループ通話を行っており、固定端末６００がそれをモニタリングをする場合を示している。
ＴＣＦ１０１は、グループ通話においてはコーデックＣ１，Ｃ２間の相互のコーデック変換を行っているが、ＰＴＣＦ１０３からＣ３でのコーデック変換を要求するｒｅＩＮＶＩＴＥリクエストがあると、固定端末６００用のコーデックＣ３への変換も行って、コーデック変換された音声データを出力する。
【００２３】
ＭＦ１０２は、固定端末６００からのモニタ要求に伴うＩＮＶＩＴＥリクエストをＰＮＰを介して受信すると、ＰＴＰＦを介してＰＴＣＦ１０３に出力して、グループ通話セッションへの参加を要求すると共に、ＰＴＰＦを介してＰＴＣＦ１０３からコーデック変換されたグループ通話の音声データを受信すると、ＰＮＰ３０３を介して固定端末６００に出力する。
その際、ＭＦ１０２は、ＰＴＣＦ１０３から複数のグループ通話の音声データを受信した場合には、それらの音声データをミキシングして、固定端末６００に出力する。
【００２４】
ＰＴＣＦ１０３は、従来のグループ通話システムにおけるＰＴＣＦと同様に、グループ通話において、グループメンバの呼び出し、送信権の管理、ＰＴ（Press Talk）音声パケットの複製と転送を行う。
更に、本システムの特徴として、ＭＦ１０２からＩＮＶＩＴＥリクエストがあった場合、当該ＩＮＶＩＴＥリクエストに付されたコーデックの情報を読み取り、グループ通話において用いられているコーデックと異なる場合には、ＴＣＰ１０１に対してｒｅＩＮＶＩＴＥリクエストを送信して、固定端末用のコーデック変換も行うよう設定する。
そして、ＴＣＰ１０１からコーデック変換された音声データを受信すると、変換されたコーデックに対応する移動局又は固定端末宛に転送する。
【００２５】
ｐｒＣＳＣＦ２００は、ＳＩＰセッションにより、呼接続、呼の状態管理、呼切断等の基本的な制御を行う制御部である。ｐｒＣＳＣＦ２００は、位置登録された移動局や固定端末に対応するＰＮＰのアドレスを記憶している。
また、ｐｒＣＳＣＦ２００は、ＰＮＰ−ＭＦ間、ＰＮＰ−ＰＴＰＦ間、ＰＴＰＦ−ＰＴＣＦ間、ＰＴＣＦ−ＴＣＦ間のＳＩＰメッセージ交換を仲介する。
【００２６】
［ＡＧＷ３００］
ＡＧＷ３００は、通信に伴うセッションの制御を行うゲートウェイであり、個別通話やグループ通信の制御を行う。ＡＧＷ３は、更に、処理手段として、ＰＮＰ３０１，３０２，３０３と、ＰＴＰＦ３１１，３１２，３１３とを備えている。
尚、ＡＧＷ３００も上述したグループ通話サーバ１０と同様にコンピュータで構成され、ＡＧＷにおける各処理手段も同様に、プログラムを制御部が読み込んで起動することにより実現されるものである。
【００２７】
ＰＮＰ３０１とＰＴＰＦ３１１は移動局４０１に対応し、ＰＮＰ３０２とＰＴＰＦ３１２は移動局５０１及び５０２に対応し、ＰＮＰ３０３とＰＴＰＦ３１３は固定端末６００に対応し、各々の端末に対応したセッションの制御を行う。
【００２８】
ＰＮＰは、従来と同様に、ＳＩＰによるグループ通話のためのセッション制御を開始する。つまり、ＰＮＰは、ＢＳからグループ呼設定要求があると、ＳＩＰのＩＮＶＩＴＥリクエストに変換し、ｐｒＣＳＣＦ２００に送信する。その際、ＳＤＰ（Session Description Protocol）に端末のコーデックを指定する。
また、本システムの特徴として、固定端末６００に対応するＰＮＰ３０３は、固定端末６００からグループ通話のモニタリング要求を受信すると、ＳＩＰのＩＮＶＩＴＥリクエストに変換し、コーデック情報として固定端末の音声コーデックであるコーデックＣ３を指定して、ＭＦ１０２に送信する。コーデックの情報は予めＡＧＷ３００に設定されている。
【００２９】
ＰＴＰＦは、従来と同様に、端末毎の、着信優先度、応答モード等の設定情報やステータスに基づいて、プレストークの制御を行う。
【００３０】
固定端末６００は、統括局等に設けられている固定電話機であり、コーデック変換手段やミキシング手段は設けられていないが、本システムではこのような一般的な固定端末であっても複数のグループ通話のモニタリングを行うことができるものである。
【００３１】
［グループ通話のシーケンス：図２］
次に、本サーバを用いたシステムにおけるグループ通話開始時のシーケンスについて図２を用いて説明する。図２は、本サーバを用いたグループ通話のシーケンスを示す説明図である。
尚、ＰＮＰ−ＰＴＰＦ間、ＰＴＰＦ−ＰＴＣＦ間、ＰＴＣＦ−ＴＣＦ間はｐｒＣＳＣＦ２００を介してＳＩＰメッセージを送受信するが、ここでは、図を簡単にするために省略している。また、ＩＮＶＩＴＥに対する100Ｔｒｙｉｎｇは省略している。
【００３２】
図２に示すように、まず、移動局（ＭＳ）４０１から、ＭＳ５０１，５１１を含むグループについてグループ通話の要求があると、ＭＳ４０１を収容する基地局（ＢＳ）４００は、ＡＧＷ３００のＰＮＰ３０１にグループ呼設定要求を送信する（Ｓ１１）。
【００３３】
ＰＮＰ３０１は、当該グループ呼設定要求をＳＩＰのＩＮＶＩＴＥリクエストに変換し、ＳＤＰに移動局４０１のコーデックＣ１を指定して、ｐｒＣＳＣＦ２００を介してＰＴＰＦ３１１に送信する（Ｓ１２）。
【００３４】
ＰＴＰＦ３１１は、ＩＮＶＩＴＥリクエストを受信すると、ＰＮＰ３０１のステータスを判断し、グループ通話開始可能であると判断すると、コーデックＣ１を指定したＩＮＶＩＴＥリクエストをＰＴＣＦ１０３に送信する（Ｓ１３）。
【００３５】
ＰＴＣＦ１０３は、受信したＩＮＶＩＴＥリクエストに基づいて、呼び出し元のコーデックがＣ１であることを認識する。更に、ＰＴＣＦ１０３は、ＩＮＶＩＴＥリクエストで指定されたグループに対する呼び出しメンバであるＭＳ５０１と、ＭＳ５１１を特定し、グループメンバ情報及びＴＣＦ１０１でコーデック変換を行うことができるコーデック情報（Ｃ１，Ｃ２，Ｃ３）を設定したＩＮＶＩＴＥリクエストをｐｒＣＳＣＦ２００を介してＰＴＰＦ３１２に送信する（Ｓ１４）。
【００３６】
ＰＴＰＦ３１２は、受信したＩＮＶＩＴＥリクエストに含まれているメンバのステータス、着信優先同等のメンバ固有情報を調べ、呼び出し可能なメンバが存在する場合、コーデックＣ１，Ｃ２，Ｃ３を指定したＩＮＶＩＴＥリクエストを、対応するＰＮＰ３０２に送信する（Ｓ１５）。
【００３７】
ＰＮＰ３０２は、受信したＩＮＶＩＴＥリクエストに含まれているメンバと、コーデック情報を参照して、呼び出しメンバが使用できるコーデック情報が存在する場合、ＢＳ５００に対してグループ呼設定を行ってメンバを呼び出す。ここでは、呼び出しメンバのＭＳ５０１，５１１が使用するコーデックＣ２がＩＮＶＩＴＥリクエストに含まれているので、ＰＮＰ３０２はＢＳ５００にグループ呼設定を送信する（Ｓ１６）。
ＢＳ５００は、グループ呼設定を受信して、ＭＳ５０１，５１１の呼出を行う。
【００３８】
そして、ＰＮＰ３０２は、ＢＳ５００から呼設定受け付けを受信すると（Ｓ１７）、ＭＳ５０１，５１１の呼び出しに成功したことを示す200ＯＫレスポンスをＰＴＰＦ３１２へ送信する。その際、ＳＤＰにＭＳ５０１，５１１が使用するコーデックＣ２を指定する（Ｓ１８）。
【００３９】
ＰＴＰＦ３１２は、当該200ＯＫレスポンスをｐｒＣＳＣＦ２００を介してＰＴＣＦ１０３に送信する（Ｓ１９）。
ＰＴＣＦ１０３は、200ＯＫレスポンスを受信すると、呼び出し元のＭＳ４０１が使用しているコーデックＣ１と、呼び出されたＭＳ５０１，５１１が使用するコーデックＣ２とが異なると判断し、ＴＣＦ１０１に対してコーデック変換を要求するＩＮＶＩＴＥリクエストを送信する（Ｓ２０）。すなわち、ＰＴＣＦ１０３は、ＴＣＰ１０１に、ＳＤＰにコーデックＣ１，Ｃ２を指定したＩＮＶＩＴＥリクエストを送信する。
【００４０】
ＴＣＰ１０１は、ＰＴＣＦ１０３に、ＳＤＰにコーデックＣ１，Ｃ２を指定した200ＯＫレスポンスを送信する（Ｓ２１）。これにより、ＴＣＰ１０１は、受信した音声データがコーデックＣ１であればＣ２に変換し、コーデックＣ２であればＣ１に変換する処理を行う。
【００４１】
ＰＴＣＦ１０３は、ＰＣＴ１０１からの200ＯＫレスポンスを受信すると、ＴＣＦ１０１と、ＰＴＰＦ３１２，ＰＮＰ３０１に200ＯＫレスポンス（ACK）を送信する（Ｓ２２，Ｓ２３，Ｓ２４）。
【００４２】
更に、ＰＴＣＦ１０３は、コーデック変換予約が完了したと判断して、ＳＤＰにコーデックＣ１を指定した200ＯＫレスポンスをＰＴＰＦ３１１に送信する（Ｓ２５）。
ＰＴＰＦ３１１は、200ＯＫレスポンスを受信すると、グループ通話の呼出が成功したと判断して、ＰＮＰ３０１に200ＯＫレスポンスを転送する（Ｓ２６）。
そして、ＰＮＰ３０１は、ｐｒＣＳＣＦ２００を介して200ＯＫレスポンスを受信すると、呼設定受付を送信する（Ｓ２７）。
これにより、ＭＳ４０１，５０１，５１１でのグループ通話が開始され、通話可能状態となる。
【００４３】
通話可能状態において、ＭＳ４０１の音声データ（コーデックＣ１）が、ＢＳ４００、ＰＮＰ３０１、ＰＴＰＦ３１１を経由してＰＴＣＦ１０３に送信される（Ｓ３０〜Ｓ３２）。
ＰＴＣＦ１０３は、受信した音声データをコーデック変換のためにＴＣＦ１０１に転送する（Ｓ３３）。
ＴＣＦ１０１は、受信した音声データをコーデックＣ２に変換し、再びＰＴＣＦ１０３に転送する（Ｓ３４）。
ＰＴＣＦ１０３は、受信した音声データ（コーデックＣ２）を、ＰＴＰＦ３１２、ＰＮＰ３０２、ＢＳ５００を経由してＭＳ５０１，ＭＳ５０２に転送する（Ｓ３５〜Ｓ３７）。
【００４４】
同様に、ＭＳ５０１，ＭＳ５０２からの音声データ（コーデックＣ２）は、ＢＳ５００、ＰＮＰ３０２、ＰＴＰＦ３１２を経由してＰＴＣＦ１０３に送信され（Ｓ３８〜Ｓ４０）、ＰＴＣＦ１０３からＴＣＦ１０１に転送されて（Ｓ４１）、ＴＣＦ１０１でコーデックＣ１に変換されてＰＴＣＦ１０３に再び転送され（Ｓ４２）、ＰＴＣＦ１０３から音声データ（コーデックＣ１）がＰＴＰＦ３１１、ＰＮＰ３０１、ＢＳ４００を経由してＭＳ４０１に転送される（Ｓ４３〜Ｓ４５）。
このようにして、本システムにおけるグループ通話が行われる。
【００４５】
［モニタリングのシーケンス：図３］
次に、本システムの特徴部分である固定端末からのグループ通話のモニタリングについて図３を用いて説明する。図３は、固定端末からのグループ通話のモニタリングのシーケンスを示す説明図である。
尚、ＰＮＰ−ＭＦ間、ＰＮＰ−ＰＴＰＦ間、ＰＴＰＦ−ＰＴＣＦ間、ＰＴＣＦ−ＴＣＦ間はｐｒＣＳＣＦ２００を介してＳＩＰメッセージを送受信するが、ここでは、図を簡単にするために省略している。また、ＩＮＶＩＴＥに対する100Ｔｒｙｉｎｇは省略している。
【００４６】
図２に示したシーケンスでＭＳ４０１，ＭＳ５０１，ＭＳ５０２のグループ通話が行われているものとする。上述したように、ＢＳ４００−ＰＮＰ３０１−ＰＴＣＦ１０３間はコーデックＣ１の音声データが送受信され、ＢＳ５００−ＰＮＰ３０２−ＰＴＣＦ１０３間はコーデックＣ２の音声データが送受信される。ＰＴＣＦ１０３とＴＣＦ１０１との間ではコーデック変換に伴い、コーデックＣ１，Ｃ２の音声データが送受信されている。
【００４７】
このようにグループ通話が行われている状態において、固定端末６００からモニタ要求があると（Ｓ５１）、ＰＮＰ３０３は、固定端末６００からのモニタ要求をＳＩＰのＩＮＶＩＴＥリクエストに変換し、ＳＤＰに固定端末６００のコーデックＣ３を指定して、ｐｒＣＳＣＦ２００を介してＭＦ１０２に送信する（Ｓ５２）。尚、固定端末６００からのモニタ要求には、モニタするグループ通話を特定するグループ番号等が１つ又は複数含まれている。
【００４８】
ＭＦ１０２は、ｐｒＣＳＣＦ２００を介して固定端末６００のコーデックＣ３を指定したＩＮＶＩＴＥリクエストを、ＰＴＰＦ３１３に転送する（Ｓ５３）。すなわち、これによりＭＦ１０２は、固定端末６００によって特定されたグループ通話のセッションに参加して、各グループ通話の音声データを転送してもらうことを要求するものである。
【００４９】
ＰＴＰＦ３１３は、ＩＮＶＩＴＥリクエストを受信すると、特定されたＭＳ４０１，ＭＳ５０１，ＭＳ５０２のグループ通話が行われていることを確認して、固定端末６００のコーデックＣ３を指定したＩＮＶＩＴＥリクエストをｐｒＣＳＣＦ２００を介してＰＴＣＦ１０３に送信する（Ｓ５４）。
【００５０】
ＰＴＣＦ１０３は、固定端末６００のコーデックＣ３がグループ通話において設定されていないと判断して、ＴＣＦ１０１に対して、当該グループ通話のコーデック変換において、Ｃ３でのコーデック変換も行うことを要求するｒｅＩＮＶＩＴＥリクエストを送信する。その際、ＳＤＰにコーデックＣ１，Ｃ２，Ｃ３を指定する（Ｓ５５）。
【００５１】
ＴＣＦ１０１は、ｐｒＣＳＣＦ２００を介して当該ｒｅＩＮＶＩＴＥリクエストを受信すると、ＰＴＣＦ１０３に、ＳＤＰにコーデックＣ１，Ｃ２，Ｃ３を指定した200ＯＫレスポンスを送信する（Ｓ５６）。
これにより、ＴＣＦ１０２は、当該グループ通話で設定されているコーデックＣ１，Ｃ２のコーデック変換に加えて、固定端末６００用のコーデックＣ３への変換も行うものである。すなわち、コーデックＣ１の音声データはコーデックＣ２，Ｃ３に変換し、コーデックＣ２の音声データはコーデックＣ１，Ｃ３に変換するものである。
【００５２】
ＰＴＣＦ１０３は、200ＯＫレスポンスを受信すると、固定端末６００用のコーデック変換予約が完了したと判断してＴＣＰ１０１にＡＣＫを返送する（Ｓ５７）。
そして、ＰＴＣＦ１０３は、ＳＤＰにコーデックＣ３を指定した200ＯＫレスポンスをＰＴＰＦ３１３に送信する（Ｓ５８）。
ＰＴＰＦ３１３は、200ＯＫレスポンスを受信すると、グループ通信への参加が成功したと判断して、ＭＦ１０２に200ＯＫレスポンスを転送する（Ｓ５９）。
【００５３】
ＭＦ１０２は、200ＯＫレスポンスを受信すると、モニタが正常に開始できることを認識して、ＰＴＰＦ３１３，ＰＴＣＦ１０３にＡＣＫを返送すると共に（Ｓ６２，Ｓ６３）、ＰＮＰ３０３に200ＯＫレスポンスを転送する（Ｓ６０）。
ＰＮＰ３０３は、200ＯＫレスポンスを受信すると、固定端末６００にモニタ応答を送信し（Ｓ６１）、ＭＦ１０２にＡＣＫを返送する（Ｓ６４）。
【００５４】
これにより、本サーバでは、グループ通話の音声データを固定端末６００用のコーデックＣ３に変換してＭＦ１０２を介して固定端末６００に転送することが可能となり、固定端末６００がコーデック変換手段を備えていなくても正常にモニタリングを行うことができるものである。
【００５５】
そして、グループ通話においてＭＳ４０１の音声データ（コーデックＣ１）がＰＮＰ３０１，ＰＴＣＦ１０３を経由してＴＣＦ１０１に転送されると（Ｓ６５，Ｓ６６，Ｓ６７）、ＴＣＦ１０１は、ＭＳ５０１，５１１用のコーデックＣ２と、固定端末６００用のコーデックＣ３とに変換して、ＰＴＣＦ１０３に転送する（Ｓ６８，Ｓ６９）。
【００５６】
そして、ＰＴＣＦ１０３は、従来と同様に、音声データ（コーデックＣ２）をＰＮＰ３０２に転送し（Ｓ７０）、ＰＮＰ３０２はＢＳ５００に音声データ（コーデックＣ２）を転送する（Ｓ７１）。これにより、ＭＳ５０１，５１１はＭＳ４０１からの音声を正常に受信できるものである。
【００５７】
また、本サーバの特徴として、ＰＴＰＦ１０３は、音声データ（コーデックＣ３）をＰＴＰＦ３１３を介してＭＦ１０２に転送し（Ｓ７２，Ｓ７３）、ＭＦ１０２は、受信した音声データ（コーデックＣ３）をＰＮＰ３０３に転送し（Ｓ７４）、ＰＮＰ３０３は固定端末６００に音声データ（コーデックＣ３）を転送する（Ｓ７５）。これにより、固定端末６００はＭＳ４０１からの音声を正常に受信できるものである。
尚、ＭＳ５０１，５１１からの音声データ（コーデックＣ２）は、同様にしてコーデックＣ３に変換されて、ＭＦ１０２に転送され、固定端末６００に受信されるようになっている。
【００５８】
更に、本システムでは、固定端末６００から複数のグループ通話のモニタリングが指定された場合には、Ｓ５３〜Ｓ６４の処理をそれぞれのグループ通話について行って、ＭＦ１０２がそれぞれのグループ通話に対して参加し、ＰＴＣＦ１０３から各グループ通話の音声データの転送を受けるようにしている。
そして、ＭＦ１０２は、複数のグループ通話の音声データを同時に受信している場合には、それらの受信音声を合成し、ＰＮＰ３０３を介して固定端末６００に出力するようにしている。
これにより、本システムにおいては、固定端末６００は、音声合成機能を備えていなくても複数グループ通話の音声を同時にモニタリングすることができるものである。
【００５９】
［実施の形態の効果］
本発明の実施の形態に係るグループ通話制御サーバによれば、音声データのコーデック変換を行うＴＣＰ１０１と、受信した音声データを合成して出力するＭＦ１０２とを備え、ＭＦ１０２が、ＡＧＷ３００を介して固定端末６００からグループ通話をモニタリングする要求を受けると、固定端末６００のコーデック情報を付してＩＮＶＩＴＥリクエストで当該グループ通話への参加要求をＰＴＣＦ１０３に送信し、ＰＴＣＦ１０３が、グループ通話で用いられているコーデックに加えて、固定端末６００用のコーデックでもコーデック変換するようＴＣＦ１０１に要求し、音声データを受信するとＴＣＦ１０１に転送し、ＴＣＦ１０１は、要求されたコーデックでコーデック変換を行ってＰＴＣＦ１０３に転送し、ＰＴＣＦ１０３は固定端末６００用にコーデック変換された音声データをＭＦ１０２に転送し、ＭＦ１０２はＡＧＷ３００を介して固定端末６００にコーデック変換された音声データを出力するグループ通話制御サーバとしているので、固定端末６００は、コーデック変換の手段を備えていなくても、グループ通話中の音声を正常に受信してモニタリングすることができ、利便性を向上できる効果がある。
【００６０】
また、本システムによれば、ＭＦ１０２が、ＰＴＣＦ１０３から、複数グループのグループ通話の音声データを受信した場合には、それらの音声データを合成して固定端末６００宛に出力するグループ通話制御サーバとしているので、固定端末６００は、ミキシングの機能がなくても複数のグループ通話中の音声を同時にモニタリングすることができる効果がある。
【産業上の利用可能性】
【００６１】
本発明は、グループ通話を行っている端末とは別のコーデックを使用している固定端末から、容易にグループ通話のモニタリングを行うことができるグループ通話サーバに適している。
【図面の簡単な説明】
【００６２】
【図１】本発明の実施の形態に係るグループ通話制御サーバを備えたグループ通話システム（本システム）の構成ブロック図である。
【図２】本サーバを用いたグループ通話のシーケンスを示す説明図である。
【図３】固定端末からのグループ通話のモニタリングのシーケンスを示す説明図である。
【図４】グループ通話システムにおいて、固定端末でグループ通話のモニタリングを行う場合の一例を示す模式説明図である。
【符号の説明】
【００６３】
１…ＭＳ（移動局）、  ２…ＢＳ（基地局）、  ３…固定端末、  ４…ＰＮＰ、  ５…ＰＴＰＦ、  ６…ＰＴＣＦ、  １０…グループ通話制御サーバ、  １０１…ＴＣＦ、  １０２…ＭＦ、  １０３…ＰＴＣＦ、  ２００…ｐｒＣＳＣＦ、  ３００…ＡＧＷ（アクセスゲートウェイ）、  ３０１，３０２，３０３…ＰＮＰ、  ３１１，３１２，３１３…ＰＴＰＦ、  ４００，５００…ＢＳ（基地局）、  ４０１，５０１，５１１…ＭＳ（移動局）、  ６００…固定端末
【図１】
2010068087.tif 000003
【図２】
2010068087.tif 000004
【図３】
2010068087.tif 000005
【図４】
2010068087.tif 000006